(57)【特許請求の範囲】
【請求項１】
音を表す音信号に対し、当該音が伝搬する建物の各階の空間領域に割り当てられた、当該空間領域が存在する階を示す領域識別情報を重畳する重畳手段と、
前記建物の各階に設置されており、前記重畳手段によって前記音が伝搬する空間領域が存在する階毎に異なる前記領域識別情報が重畳された音信号に応じて、それぞれ前記空間領域に放音を行う複数の放音手段と、
前記複数の放音手段によってそれぞれ放音された音のうち少なくともいずれかの音を収音する収音手段と、
前記収音手段によって収音された音から前記領域識別情報を抽出する抽出手段と、
前記抽出手段により抽出された前記領域識別情報が示す前記空間領域が存在する階の情報を含む、当該領域識別情報が割り当てられた前記空間領域の位置を示す位置情報を出力する出力手段と
を備えることを特徴とする位置通知システム。
【請求項２】
前記重畳手段は、
楽曲または音声を含む音を表す前記音信号に対し前記領域識別情報を重畳する
ことを特徴とする請求項１に記載の位置通知システム。
【発明の詳細な説明】
【技術分野】
【０００１】
本発明は、端末の位置を特定する技術に関する。
【背景技術】
【０００２】
近年、携帯電話機やカーナビゲーションシステム等の端末装置において、ＧＰＳ（Global Positioning System）を利用して自装置の位置を測位する、という技術が広く用いられている。この技術を利用して、例えば特許文献１には、携帯電話機を所持しているユーザ同士が互いの位置を知りたい場合に、表示画面に表示された地図上に自身の位置と相手の位置とをマーキングし、ユーザが互いの位置関係を容易に把握する仕組みが開示されている。
【特許文献１】特開２００２−２６２３３８号公報
【発明の開示】
【発明が解決しようとする課題】
【０００３】
しかし、ＧＰＳを用いた測位技術では、ＧＰＳ衛星から発信されるＧＰＳ信号を良好に受信し得る位置に居る場合しか測位することができない。従って、例えば建物の中とか地下に居る場合には、ＧＰＳ信号の受信環境が悪いため、測位精度が低いことがある。さらに、ＧＰＳでは、高さ方向の位置を特定することが難しいため、同一建物内の何階に居るのかといったことまでは分からず、測位の正確性を欠く。
そこで、本発明は、ＧＰＳを用いた技術では正確な測位ができないような場所に居る場合であっても、その位置を特定することを目的とする。
【課題を解決するための手段】
【０００４】
上述した課題を解決するため、本発明に係る位置通知システムは、音を表す音信号に対し、当該音が伝搬する建物の各階の空間領域に割り当てられた、当該空間領域が存在する階を示す領域識別情報を重畳する重畳手段と、前記建物の各階に設置されており、前記重畳手段によって前記音が伝搬する空間領域が存在する階毎に異なる前記領域識別情報が重畳された音信号に応じて、それぞれ前記空間領域に放音を行う複数の放音手段と、前記複数の放音手段によってそれぞれ放音された音のうち少なくともいずれかの音を収音する収音手段と、前記収音手段によって収音された音から前記領域識別情報を抽出する抽出手段と、前記抽出手段により抽出された前記領域識別情報が示す前記空間領域が存在する階の情報を含む、当該領域識別情報が割り当てられた前記空間領域の位置を示す位置情報を出力する出力手段とを備えることを特徴とする。
【０００５】
本発明に係る位置通知システムにおいて、前記重畳手段は、楽曲または音声を含む音を表す前記音信号に対し前記領域識別情報を重畳してもよい。
【発明を実施するための最良の形態】
【０００６】
次に、本発明を実施するための最良の形態について説明する。以下に説明する実施形態においては、建物であるデパート１内にいるユーザの位置を、デパート１の外部にいるユーザに通知するために、本発明の一実施形態に係る位置通知システムを用いる場合について説明する。
【０００７】
（１）実施形態の構成
まず、実施形態の構成について説明する。
図１は、本実施形態に係る位置通知システム１００の全体構成を示すブロック図である。図１において、携帯電話網３は、多数の基地局や交換局からなる通信網である。携帯電話機１０−１，１０−２，１０−３はそれぞれ、携帯電話網３を介して広域なエリアに跨って通信を行う通信端末である。また、携帯電話機１０−１，１０−２，１０−３は、ＧＰＳ衛星４０から送信されてくるＧＰＳ信号を受信し、それに基づいて自身の所在地を測位する機能を有する。なお、ここでは図が煩雑になるのを防ぐために、３台の携帯電話機１０−１，１０−２，１０−３のみを示したが、実際には、より多数の装置を備えるものである。また、これら携帯電話機１０−１，１０−２，１０−３は全て同じ構成及び動作であるから、以下の説明においてそれぞれを区別する必要のないときは「携帯電話機１０」と総称する。
【０００８】
測位装置２０は携帯電話網３に接続されており、携帯電話機１０の所在地や、その所在地におけるさらに詳細な位置を特定して、携帯電話機１０に通知する。デパート１内には、音信号に応じた音を放音する複数の放音装置３０が設けられている。この位置通知システム１００では、上述したＧＰＳを用いた測位と、これらの放音装置３０による放音を利用した測位とを併用することで、ＧＰＳを用いた技術では正確な測位ができないような場所に居る場合であっても、その位置をより正確に特定し得るようになっている。
【０００９】
ここで、デパート１内における放音装置３０の設置態様の一例について、図２を参照しつつ説明する。
放音装置３０は、複数の（ここでは３つの）放音装置３０−１，３０−２及び３０−３からなる。図２に示すように、デパート１は３階建ての建物であり、その「１階」の天井には放音装置３０−１が設置され、「２階」の天井には放音装置３０−２が設置され、「３階」の天井には放音装置３０−３が設置されている。以下では、デパート１の１階の空間領域であって、放音装置３０−１によって放音される音が伝搬する空間領域のことを、「空間領域ＳＰ１」という。また、デパート１の２階の空間領域であって、放音装置３０−２によって放音される音が伝搬する空間領域のことを、「空間領域ＳＰ２」といい、３階の空間領域であって、放音装置３０−３によって放音される音が伝搬する空間領域のことを、「空間領域ＳＰ３」という。
【００１０】
放音装置３０−１，３０−２及び３０−３は、デパート１内に設けられたＢＧＭ再生装置２と有線乃至無線の通信路により通信可能に接続されている。ＢＧＭ再生装置２は、例えば有線放送等の番組の中から所望の楽曲を選択して再生し、その楽曲を表すデジタル形式のデータ（音データ）を放音装置３０−１，３０−２及び３０−３のそれぞれに提供する。放音装置３０−１，３０−２，３０−３は、ＢＧＭ再生装置２から楽曲を表す音データを受信すると、それぞれ後述する音声信号処理を行った後、空間領域ＳＰ１、空間領域ＳＰ２、空間領域ＳＰ３に向かって放音を行う。なお、これら放音装置３０−１，３０−２，３０−３は全て同じ構成及び動作であるから、以下の説明においてそれぞれを区別する必要のないときは「放音装置３０」と総称する。
【００１１】
図３は、携帯電話機１０の構成を示すブロック図である。同図に示すように、携帯電話機１０は、制御部１１と、無線通信部１２と、音声処理部１３と、表示部１４と、操作部１５と、記憶部１６と、測位部１７とを備えている。制御部１１は、例えばＣＰＵ（Central Processing Unit）、ＲＯＭ（Read Only Memory）及びＲＡＭ（Random Access Memory）を備えており、携帯電話機１０の各部を制御する。ＲＯＭには、ＣＰＵが各種制御を実行するための制御プログラムや、ＧＰＳ衛星４０から受信したＧＰＳ信号に基づいて制御部１１が自装置の所在地の測位を行う測位プログラムが記憶されている。
【００１２】
無線通信部１２は、アンテナ１２１や図示せぬ無線通信回路を備えている。この無線通信部１２は、携帯電話網３の基地局から送信されてくる音声無線信号をアンテナ１２１によって受信すると、無線通信回路によってこれを復調する。復調された音声データは、音声処理部１３によってＤ／Ａ変換及び増幅が施された後に、スピーカ１３２から受話音声として放音される。一方、ＢＧＭやユーザの送話音声等の音は、マイクロホン１３１により収音されて音信号に変換され、音声処理部１３による増幅及びＡ／Ｄ変換を経てデジタル形式の音データに変換される。そして変調及び周波数変換などがなされた後に、無線通信部１２からアンテナ１２１を介して音声無線信号として送信される。また、無線通信部１２は、携帯電話網３の基地局から送信されてくるデータ無線信号をアンテナ１２１によって受信すると、無線通信回路によってこれを復調して制御部１１に供給する。さらに、無線通信部１２は、制御部１１から供給されてくるデータを搬送波で変調してアンテナ１２１からデータ無線信号として送信する。
【００１３】
表示部１４は、例えば液晶ディスプレイや液晶駆動回路を備えており、制御部１１からの指示に応じて、各種の情報や操作画面などを表示する。操作部１５は、例えば「０」から「９」までのテンキーや、オンフックキー・オフフックキーのほか、操作画面上のカーソルを移動させるためのキーなどを備えており、ユーザによる操作に応じた信号を制御部１１に供給する。制御部１１は、この信号に基づき、ユーザの操作によって指示された内容を判断し、その判断結果に応じた処理を実行する。記憶部１６は、例えばＥＥＰＲＯＭ（Electrically Erasable and Programmable Read Only Memory）やフラッシュメモリであり、自装置に対して割り当てられた識別情報である電話機ＩＤの他に、ユーザ名や電話番号等が登録された電話帳や、制御部１１によって実行される処理の手順が記述されたプログラムが記憶されている。
【００１４】
測位部１７は、ＧＰＳアンテナ、周波数変換器、Ａ／Ｄ変換器、周波数シンセサイザ、及びＣ／Ａコード処理部等を備えている。ＧＰＳアンテナは、ＧＰＳ衛星４０から送信されてきたＧＰＳ信号を受信し、周波数変換器はこれを中間周波数帯域に変換し、Ａ／Ｄ変換器はこれをアナログ信号からデジタルデータに変換し、Ｃ／Ａコード処理部はＣ／Ａコードを乗算させてコード相関処理を施す。測位部１７は、このコード相関処理の結果得られたＧＰＳデータを制御部１１に供給する。制御部１１は、測位部１７から供給されたＧＰＳデータと、ＲＯＭに記憶された測位プログラムとに基づいて、自装置の所在地の測位を行う。この測位によって、制御部１１は自端末の所在地の経度及び緯度を算出する。
【００１５】
次に、図４は、測位装置２０の構成を示すブロック図である。同図に示すように、測位装置２０は、制御部２１と、記憶部２２と、通信部２３とを備えている。
制御部２１は、例えばＣＰＵや各種メモリからなり、そのメモリや記憶部２２に記憶された制御プログラムに記述された手順に従って測位装置２０の全体を制御する。記憶部２２は例えばハードディスク装置であり、地図情報記憶領域２２１を有する。地図情報記憶領域２２１は、緯度及び経度の座標に対応した、例えば日本全国の地図を表す地図情報を記憶している。また、記憶部２２は領域特定テーブル２２２を記憶している。この領域特定テーブル２２２は、放音装置３０による放音を利用した測位に利用される。通信部２３は、携帯電話網３に接続されており、携帯電話機１０と、携帯電話網３を介してデータの送受信を行うインタフェースである。
【００１６】
ここで、図５は、領域特定テーブル２２２の一例を示した図である。
図５に示すように、この領域特定テーブル２２２には、「領域ＩＤ」と、「領域名称」とが対応付けられて記述されている。「領域ＩＤ」は、上述したデパート１内の空間領域ＳＰ１、空間領域ＳＰ２、空間領域ＳＰ３などのように、放音装置３０によって放音される音が伝搬する空間領域に対して割り当てられた識別情報である。同図の例では、空間領域ＳＰ１には領域ＩＤ「ＳＰ１」が割り当てられ、空間領域ＳＰ２には領域ＩＤ「ＳＰ２」が割り当てられ、空間領域ＳＰ３には領域ＩＤ「ＳＰ３」が割り当てられている。「領域名称」は、これらの空間領域に対して付けられた名称である。例えば、第１行に示すように、領域ＩＤ「ＳＰ１」が割り当てられた空間領域ＳＰ１には、領域名称「○○デパート１階」が対応付けられている。これは、「○○デパート」という名称のデパート１の１階の空間領域ＳＰ１には、領域ＩＤ「ＳＰ１」が割り当てられていることを意味している。同様に、第２行においては、領域ＩＤ「ＳＰ２」が割り当てられた空間領域ＳＰ２に領域名称「○○デパート２階」が対応付けられ、第３行においては、領域ＩＤ「ＳＰ３」が割り当てられた空間領域ＳＰ３に領域名称「○○デパート３階」が対応付けられている。また、第４行においては、領域ＩＤ「ＳＰ４」が割り当てられた空間領域に、領域名称「△△会社１階」が対応付けられている。
【００１７】
すなわち、この領域特定テーブル２２２においては、「○○デパート」や「△△会社」のように、領域ＩＤが割り当てられた空間領域がある建物の名称とともに、「１階」や「２階」のように、建物内においてその空間領域がある詳細な位置を表す領域名称も含まれている。この領域特定テーブル２２２の内容は、放音装置３０が建物に設置されてから、測位装置２０の管理者によって記述され、必要に応じて更新される。
【００１８】
次いで、図６は、放音装置３０の構成を示すブロック図である。同図に示すように、放音装置３０は、通信部３１と、音声処理部３２と、増幅器３３と、放音制御部３４と、放音手段としてのスピーカ３５とを備える。
通信部３１は、ＢＧＭ再生装置２によって提供されたデジタル形式の音データを受信する。音声処理部３２は、Ｄ／Ａ変換器等を有し、通信部３１から供給されたデジタル形式の音データをアナログ形式の音信号に変換する。増幅器３３は、音声処理部３２から供給される音信号を増幅する。
【００１９】
放音制御部３４は、ＣＰＵやメモリを有しており、増幅器３３から供給された音信号に基づいて、スピーカ３５に放音させる。この放音制御部３４のメモリには、自装置に対して割り当てられた「領域ＩＤ」、つまり、放音装置３０が放音する音が伝搬する空間領域に割り当てられた「領域ＩＤ」が記憶されている。上述した領域ＩＤ「ＳＰ１」が割り当てられた空間領域ＳＰ１に放音する放音装置３０−１のメモリには、領域「ＳＰ１」が記憶されるし、領域ＩＤ「ＳＰ２」が割り当てられた空間領域ＳＰ２に放音する放音装置３０−２のメモリには、領域「ＳＰ２」が記憶されるし、領域ＩＤ「ＳＰ３」が割り当てられた空間領域ＳＰ３に放音する放音装置３０−３のメモリには、領域「ＳＰ３」が記憶される。放音制御部３４は、増幅器３３から音信号が供給されると、自身のメモリに記憶した領域ＩＤに基づいて音信号を変調する。具体的には、放音制御部３４は、領域ＩＤを例えばＡＳＫ（Amplitude Shift Keying）方式で変調した信号（以下、「領域変調信号」という）を生成し、音信号をこの領域変調信号に基づいて変調させてから、スピーカ３５に放音させる。すなわち、放音制御部３４は、音信号に対し領域ＩＤを重畳する重畳手段であり、領域ＩＤが重畳された音信号に応じた音をスピーカ３５に放音させる。
【００２０】
ここで、放音制御部３４が行う音声信号処理について、図７，８を参照しつつ説明する。
図７において、領域信号ａ１は、領域ＩＤ「ＳＰ２」を表す領域変調信号であり、同図で「０１１０１・・・」という値で表され、同図に示す搬送波ｂは、特定の周波数及び振幅を有する正弦波を表している。この搬送波ｂの周波数帯域は、放音装置３０によって放音される音とは重ならないように設定されており、その振幅は、オーディオデータの振幅と比較して小さくなっている。この搬送波ｂの周波数帯域や振幅は、放音制御部３４のメモリに予め記憶されている。すなわち、この例では、まず、放音制御部３４は、領域ＩＤを表す領域信号ａ１と搬送波ｂとを乗算させて領域変調信号ａ２を生成する。このとき、領域変調信号ａ２において、領域ＩＤの値が「１」である時間帯の波形は搬送波ｂと同じとなり、領域ＩＤの値が「０」である時間帯においてはその振幅は「０」となっている。
【００２１】
続いて、放音制御部３４は、増幅器３３から取得した音信号に、前述したようにして生成した領域変調信号ａ２を重畳する。図８において、音信号ｃ１は、増幅器３３から取得した信号の波形を表している。放音制御部３４は、この音信号ｃ１に、同図に示す領域変調信号ａ２を乗算して音信号を変調することによって、領域ＩＤを重畳した音信号ｃ２を生成する。そして、放音制御部３４は、この音信号ｃ２に応じてスピーカ３５に放音させる。図８においては、放音制御部３４による音声信号処理の過程を分かりやすくするため、音信号ｃ１の振幅と領域変調信号ａ２の振幅とをほぼ等しく図示しているが、実際には、上述したように搬送波ｂの振幅、及び領域信号ａ１の振幅は、音信号ｃ１のそれに対して十分に小さいから、音信号ｃ２に応じた放音がなされても、元の音信号ｃ１に対する音質劣化はほとんどない。
【００２２】
（２）動作
次に、位置通知システム１００の動作について説明する。
なお、以下の説明においては、携帯電話機１０−１（第１の端末）を所持するユーザＡが、携帯電話機１０−２（第２の端末）を所持してデパート１の２階にいるユーザＢの位置を要求するときの動作例について説明する。以下の動作の開始時においては、領域特定テーブル２２２の構成は、図５に示したとおりとする。
【００２３】
（２−１）放音装置３０の動作
まず、放音装置３０の動作について説明する。
放音装置３０は、ＢＧＭ再生装置２によって提供された音データに基づいて、上述したようにして領域ＩＤを重畳した音信号を生成し、放音する。具体的には、例えば放音装置３０−１の放音制御部３４は、通信部３１、音声処理部３２、増幅器３３を介して供給された音信号に領域ＩＤ「ＳＰ１」を重畳し、この音信号に応じた音をスピーカ３５に放音させる。同様にして、放音装置３０−２の放音制御部３４は、領域ＩＤ「ＳＰ２」を重畳した音信号に応じた音をスピーカ３５に放音させ、放音装置３０−３の放音制御部３４は、領域ＩＤ「ＳＰ３」を重畳した音信号に応じた音をスピーカ３５に放音させる。以下に説明する動作時においても、放音装置３０−１，３０−２，３０−３はこれらの音信号に応じて放音しているものとする。
【００２４】
次に、位置通知システム１００が携帯電話機１０−２の位置を携帯電話機１０−１に通知するときの動作について説明する。ここで、図９は、位置通知システム１００が実行する処理の流れを示すシーケンス図である。図９において、放音装置３０−１，３０−２，３０−３は上述したように領域ＩＤが重畳された音信号に応じた音を放音している。
【００２５】
（２−２）携帯電話機１０−１が位置を要求するときの動作
最初に、携帯電話機１０−１が携帯電話機１０−２の位置を要求するときの動作について説明する。
まず、ユーザＡは、自身が所持する携帯電話機１０−１の表示部１４にメニュー画面を表示させ、操作部１５を操作して、携帯電話機１０の位置通知を実行するモードである「位置通知モード」を起動させる。携帯電話機１０−１の制御部１１は、この操作に応じて位置通知モードを起動し（ステップＳ１）、ユーザＡが位置を知りたい携帯電話機１０のユーザを指定させる（ステップＳ２）。ここでは、ユーザＡによって「ユーザＢ」が指定され、この指定内容に応じて、制御部１１はユーザＢが所持する携帯電話機１０−２が位置通知の対象となることを特定する。このステップＳ２では、例えば、制御部１１は、記憶部１６に記憶された電話帳に基づいて、そこに登録されたユーザ名の一覧を表示部１４に表示させ、所望のユーザ名を選択させるとよい。この選択操作に応じて、制御部１１は、選択されたユーザ名に対応付けて電話帳に記憶している電話番号などの電話機ＩＤを特定する。また、制御部１１は、所望のユーザの電話番号などの電話機ＩＤを直接、ユーザに入力させてもよい。
【００２６】
そして、携帯電話機１０−１の制御部１１は、特定した「ユーザＢ」が所持する携帯電話機１０−２の位置の要求を、記憶部１６に記憶された自装置の電話機ＩＤとともに、指示信号として無線通信部１２及びアンテナ１２１によって測位装置２０に送信する（ステップＳ３）。
以上が、ユーザＡが携帯電話機１０−２の位置を要求するときの、携帯電話機１０−１の動作である。
【００２７】
（２−３）位置の要求が行われてからの位置通知システム１００の動作
次に、位置の要求が行われてからの位置通知システム１００の動作について説明する。
測位装置２０の制御部２１は、携帯電話機１０−１から送信されてきた上記要求、及び電話機ＩＤを含む指示信号を通信部２３によって受信すると、これらに基づいて携帯電話機１０−１によって携帯電話機１０−２の位置が要求されたことを特定する（ステップＳ４）。そして、制御部２１は、通信部２３によって、位置通知の対象となる携帯電話機１０−２に対し、領域ＩＤを要求するリクエスト信号を送信する（ステップＳ５）。
【００２８】
携帯電話機１０−２の制御部１１は、測位装置２０から送信されてきたリクエスト信号（要求）をアンテナ１２１及び無線通信部１２によって受信すると、この要求に応じて、自装置の位置通知のための処理を開始する。なお、このとき、携帯電話機１０−２の制御部１１は、ユーザＢに対して測位を行うことを許可するか否かを問い合わせることが好ましい。そして、ユーザＢによって測位を行うことを許可する旨の操作が行われた場合に、制御部１１は以下に説明する処理を開始する。このようにすれば、見知らぬ者によって、ユーザＢの位置が知られてしまうことを防止することができる。
【００２９】
まず、携帯電話機１０−２の制御部１１は、マイクロホン１３１によって収音を行い（ステップＳ６）、その音信号を取得する。ここでは、ユーザＢはデパート１の２階にいるから、携帯電話機１０−２の制御部１１は、放音装置３０−２によって空間領域ＳＰ２に放音された音を収音することになる。この結果、制御部１１は、図８に示した音信号ｃ２をマイクロホン１３１によって収音する。なお、ここでは、制御部１１はリクエスト信号の受信をきっかけに収音を行ったが、常時又は定期的に行うようにしてもよい。
【００３０】
続いて、制御部１１は、この収音された音信号に重畳されている領域ＩＤを抽出する（ステップＳ７）。このステップＳ７において、まず、制御部１１は、音信号に対し、搬送波ｂに用いられた周波数を中心とする所定幅の通過帯域を有する音声処理部１３に設けられた図示せぬバンドパスフィルタを作用させて、これを通過した信号を抽出する。このようにして、制御部１１は、領域変調信号ａ２を抽出することができる。そして、制御部１１は、取得した領域変調信号ａ２を復調して領域信号ａ１を得ると、この領域信号ａ１に基づいて領域ＩＤ「ＳＰ２」を抽出する。すなわち、この領域ＩＤの抽出に係る処理は、制御部１１と音声処理部１３との協働によって行われる。
【００３１】
続いて、制御部１１は、測位部１７によって自装置の所在地を測位する（ステップＳ８）。このとき、制御部１１は、測位部１７によってＧＰＳ信号を取得し、測位部１７によって行われた演算結果であるＧＰＳデータに基づいて、自装置の所在地を経度及び緯度を算出することによって測位する。なお、ここでは、制御部１１は経度＝Ｘｏ，緯度＝Ｙｏを算出したものとする。そして、制御部１１は、抽出した領域ＩＤ「ＳＰ２」と、測位した所在地の経度Ｘｏ、緯度Ｙｏとを、自身の電話機ＩＤとともに測位装置２０へ送信する（ステップＳ９）。
【００３２】
続いて、測位装置２０の制御部２１は、通信部２３によって携帯電話機１０−２からの送信内容に基づいて、携帯電話機１０−２の位置を特定するための処理を開始する。
まず、制御部２１は、領域ＩＤ「ＳＰ２」に対応付けて領域特定テーブル２２２に記憶されている「領域名称」を特定する（ステップＳ１０）。図５に示すように、領域特定テーブル２２２の第２行において領域ＩＤ「ＳＰ２」に領域名称「○○デパート２階」が対応付けられている。これによって、制御部２１は、携帯電話機１０−２がある空間領域の領域名称として「○○デパート」の「２階」であることを特定する。
【００３３】
そして、制御部２１は、位置情報としてステップＳ１０で特定した空間領域の位置と、所在地として携帯電話機１０−２から送信されてきた経度Ｘｏ及び緯度Ｙｏとを、地図情報記憶領域２２１に記憶されている地図情報が表す地図上に表したデータを生成する（ステップＳ１１）。ここでは、制御部２１は、携帯電話機１０−２の所在地の緯度Ｘｏ及び経度Ｙｏに基づいて対応する地域の地図情報を読み出し、その地図上の緯度Ｘｏ及び経度Ｙｏに該当する位置に「★」等の記号を用いてマーキングし、さらに、特定した空間領域の領域名称も「○○デパート２階」という具合に地図上に表す。また、制御部２１は、経度Ｘｏ及び緯度Ｙｏに基づいて住所を特定して地図情報に含める。そして、制御部２１は、この位置情報を示した地図情報を、ステップＳ３で受信した電話機ＩＤに従って、携帯電話機１０−１に送信する（ステップＳ１２）。このようにして、制御部２１は、抽出された領域ＩＤから得られる空間領域に付けられた名称と、測位部１７によって測位された所在地とを、位置情報として携帯電話機１０−１に通知する。
携帯電話機１０−１の制御部１１は、アンテナ１２１及び無線通信部１２によってこれを受信すると、表示部１４にこの地図情報が表す地図画像を表示させることにより、位置情報を出力する（ステップＳ１３）。
【００３４】
図１０は、ステップＳ１３において、表示部１４に表示される地図の一例を示す図である。同図に示すように、携帯電話機１０−２の所在地（経度Ｘｏ、緯度Ｙｏ）に対応する地図上における位置に星印の記号「★」が示され、且つ、“＊＊さんの所在地は、「東京都○○区△△１丁目」です。”というメッセージが示されている。また、地図上の「★」の近傍には、空間領域の位置を示した画像として、領域名称「○○デパート２階」が示されている。ユーザＡはこれを見れば、経度及び緯度で特定されるユーザＢの所在地のみならず、その所在地における詳細な位置である「○○デパート」の「２階」にユーザがいることを知ることができる。
【００３５】
以上説明した実施形態によれば、ユーザＢが所持する携帯電話機１０−２は、自端末がある空間領域において放音装置３０によって放音された音を収音し、収音した音を表す音データから領域ＩＤを抽出し、ＧＰＳを利用して特定した自装置の所在地とともに測位装置２０に送信する。測位装置２０は、携帯電話機１０−２の所在地とともに、領域ＩＤに基づいて特定した空間領域の領域名称を地図上に示し、この地図を表す地図情報を携帯電話機１０−１に送信する。これにより、ユーザＢ（携帯電話機１０−２）の位置を知りたい携帯電話機１０−１のユーザＡは、そこに表示出力された地図を見ることでユーザＢのいる所在地、及びその場所における詳細な位置（空間領域）を知ることができる。この構成により、ＧＰＳを用いた技術では正確な測位ができないような場所にいる場合であっても、その位置を精密に特定することができる。また、放音装置３０によって放音される音に領域ＩＤを重畳しても、その音の音質にはほとんど影響を与えることがないから、ユーザがＢＧＭとしての音を楽しみつつ、同時に測位を行うことが可能となる。
【００３６】
（３）変形例
なお、上記実施形態を次のように変形してもよい。具体的には、例えば以下のような変形が挙げられる。これらの変形は、各々を適宜に組み合わせることも可能である。
（３−１）変形例１
上述した実施形態では、位置を要求された携帯電話機１０−２は、ステップＳ８でＧＰＳ信号に基づいて所在地の測位を行っていたが、測位部１７に相当する構成を省略して、所在地の測位を行わないようにしてもよい。すなわち、ステップＳ９において、携帯電話機１０−２は領域ＩＤのみを測位装置２０に送信する。この態様において、実施形態と同じように地図上に携帯電話機１０−２の所在地と空間領域の位置とを示すために、測位装置２０は領域特定テーブルにおいて、領域ＩＤ及び領域名称に対応付けて、建物がある所在地として記憶させておけばよい。管理者が領域特定テーブルの建物の領域名称を設定する場合、その建物の住所を知ることは容易であるから、例えば、領域特定テーブルに記述する所在地を住所とし、測位装置２０がその住所に基づいて経度、緯度を算出して、地図上にその所在地を示すようにしてもよい。
かかる構成は、以下に説明する変形例においても採ることができる。
【００３７】
（３−２）変形例２
上述した実施形態では、測位装置２０は、携帯電話機１０−２によって抽出された領域ＩＤを受信すると、領域特定テーブル２２２において、この領域ＩＤに対応付けられている領域名称を特定していたが、領域ＩＤが領域名称そのものを示すようにしてもよい。この態様においては、測位装置２０は領域特定テーブルを記憶する必要はなく、携帯電話機１０−２から取得した領域ＩＤに基づいて領域名称を特定し、これを位置情報として送信する。
かかる構成は、以下に説明する変形例においても採ることができる。
【００３８】
（３−３）変形例３
上述した実施形態では、放音装置３０をデパート１や会社等の建物の各階に設置する態様について説明したが、複数の放音装置３０を、例えば電車の停車位置である駅に設置することにより、位置通知システムを以下のような態様とすることができる。
【００３９】
まず、本変形例の位置通知システムの構成について、実施形態と異なる点について説明する。本変形例では、ＢＧＭに代えて発車のアナウンスや発車ベルを放音する複数の放音装置３０を、例えば各駅のプラットホームに設けておき、駅毎に異なる領域ＩＤを、それぞれの放音装置３０の放音制御部３４のメモリに記憶させておく。ただし、同じ駅に複数の放音装置３０が設けられている場合には、これらには同じ領域ＩＤが記憶されるものとする。一方、測位装置２０においては、空間領域の領域名称として、放音装置３０が設置された駅の駅名を特定するようにし、領域特定テーブルにおいては領域ＩＤに領域名称として駅名を対応付けておく。
【００４０】
続いて、本変形例の動作について実施形態と異なる点を主に説明する。
まず、この動作に先立って、ユーザが電車に乗る前又は後において、携帯電話機１０に対して下車駅を設定しておく。この設定に応じて、携帯電話機１０は自身の電話機ＩＤ、及び設定した下車駅を測位装置２０に送信し、測位装置２０はこの電話機ＩＤと、下車駅に割り当てられた領域ＩＤとを対応付けて記憶しておく。ここでは、測位装置２０は、複数の停車位置のうち少なくともいずれか１の停車位置に割り当てられた領域ＩＤを記憶することになる。
以降、携帯電話機１０は、定期的にステップＳ６，Ｓ７と同じ、収音及び領域ＩＤの抽出を行う。ユーザが電車に乗った後においては、電車が停車駅に到着して扉が開く度に、その駅に設置された放音装置３０によって放音された音が電車内にも伝搬するから、携帯電話機１０はこれを収音し、領域ＩＤを抽出することになる。携帯電話機１０は領域ＩＤを抽出すると、これを電話機ＩＤとともに測位装置２０に送信する。そして、測位装置２０は、この領域ＩＤ及び電話機ＩＤを受信すると、この領域ＩＤと、受信した電話機ＩＤに対応付けて記憶している下車駅の領域ＩＤとを比較する。
【００４１】
ここで、測位装置２０は、受信した領域ＩＤが、自身が記憶している領域ＩＤに一致しないときには、その駅はユーザの下車駅ではないから、ここで処理を終了する。一方、自身が記憶している領域ＩＤに一致したときには、測位装置２０は、その駅がユーザの下車駅であるから、領域特定テーブルにおいてその領域ＩＤに対応付けられている駅名を特定し、下車駅に到着した旨を携帯電話機１０に通知する。この通知を受け取った携帯電話機１０は、表示部１４に「××駅に到着しました。下車してください。」というメッセージを表示させてユーザに対して下車駅に到着した旨を知らせる。この報知出力の態様としては、携帯電話機１０がスピーカ１３２を用いて同様の内容を音声出力して報知してもよい。これ以外にも、携帯電話機１０に設けられた図示せぬランプを点灯させたり、スピーカ１３２によってアラーム音を放音させることによって報知してもよい。ただし、これらの場合、特定した駅名を表示させなくてもユーザは下車駅に到着した旨を知ることができるから、位置情報として領域名称を記憶していなくてもよい。
【００４２】
また、ここでは電車の駅に放音装置３０を設置する場合について説明したが、モノレールやバス等の人間を運ぶ移動体の停止位置（駅、停留所等の乗降場所）に設けてもよい。また、測位装置２０はユーザに対して下車駅のみを報知するのではなく、すべての駅について到着した駅を通知してもよい。この場合、携帯電話機１０や測位装置２０が下車駅に関する処理を行わなくてよい。
【００４３】
（３−４）変形例４
また、複数の放音装置３０が、複数の電車（移動体）のそれぞれに設けられるようにしてもよい。
この態様においては、放音装置３０（又は電車）が、所在地を測位するための測位手段を備える。この測位手段は、例えばＧＰＳなどを利用して所在地の測位を行う。また、放音装置３０は定期的に測位手段によって自装置の現在位置（経度、緯度）の測位を行い、その測位結果に応じた領域ＩＤを、車内アナウンス等の音を表す音信号に重畳して放音する。
【００４４】
一方で、測位装置２０は、領域特定テーブルにおいて上記領域ＩＤに対応付けて最寄りの駅名を記憶しておく。そして、携帯電話機１０によって位置の要求が行われると、実施形態と同じようにして、測位装置２０は電車内にいるユーザの携帯電話機１０に領域ＩＤを送信させる。次いで、測位装置２０は、そこから送信されてきた領域ＩＤに対応する駅名を領域特定テーブルから読み出し、携帯電話機１０に対して、例えば「只今、＊＊さんは○○駅付近を走行中です。」と表示させるよう、電車内の空間領域の位置情報を出力する。また、この態様において、測位装置２０は、電車の走行方向や、現在位置と駅の所在地との関係等を利用すれば、「○○駅まであと△△分です。」のように、より詳細な位置を示す位置情報を出力することもできる。
また、この態様において、電車の走行路を所定距離毎に複数の区間に区切り、放音装置３０は各区間に対応付けて領域ＩＤを記憶し、測位手段による測位結果に応じた区間の領域ＩＤを読み出して、音信号に重畳してもよい。つまり、放音装置３０は、測位した位置に応じた領域ＩＤを音信号に重畳するようにすればよい。
【００４５】
（３−５）変形例５
上述した実施形態では、デパート１内の各階に１ずつ放音装置３０を設けていたが、各空間領域が重ならないように、放音装置３０が複数設けられていても良い。この態様によれば、測位装置２０は「○○デパート２階西館」や「○○デパート２階東館」のように、同一階を複数のブロックに分けて領域名称を特定することができるので、さらに詳細な位置（空間領域）を特定することができる。
また、位置通知システムをデパート１内のみで用いることのできるシステムとしてもよい。例えば、デパート１内における迷子探索専用に利用する場合があり、ユーザＡ及びユーザＢが共にデパート１内にいることになる。この態様によれば、携帯電話機１０がＧＰＳ信号に基づいて所在地を測位する構成は不要であるし、電波状況が不良であっても同じ建物内に設けられた通信ネットワーク等によって測位装置２０と通信可能とすることにより、支障を来たすことなく、本位置通知システムを利用することができる。もちろん、遊園地やコンサート会場等の限られた領域内のみで適用するのであれば、本位置通知システムを利用する空間は前掲したものに限らない。
【００４６】
（３−６）変形例６
また、デパート１内の各階に複数の放音装置３０を設ける場合において、前述したように各階に複数の空間領域が存在することになるが、装置間の距離が小さい等の場合には、各空間領域が互いに重なり合ってしまうことがある。そこで、本変形例では、これを利用して、位置通知システムが位置を特定する態様について説明する。本変形例の携帯電話機１０においては、マイクロホン１３１を例えばステレオタイプのものとし、マイクロホン１３１ａ，１３１ｂを備えるものとする。
【００４７】
図１１は、本変形例におけるデパート１の１階を上方から見た様子を模式的に表した図である。同図に示すように、デパート１の１階には破線を境界として西館及び東館に分けられており、西館の中心付近の天井には放音装置３０−４が設けられ、東館の中心付近の天井には放音装置３０−５が設けられている。放音装置３０−４によって放音される音は空間領域ＳＰ１１に伝搬され、放音装置３０−５によって放音される音は空間領域ＳＰ１２に伝搬されるものとする。また、測位装置２０は、領域特定テーブルにおいて、空間領域ＳＰ１１の領域ＩＤに対応付けて「○○デパート１階西館」を記憶し、空間領域ＳＰ１２の領域ＩＤに対応付けて「○○デパート１階東館」を記憶しておく。
【００４８】
この場合、同図に示す実線で囲んだ空間領域ＳＰ１３においては、放音装置３０−４によって放音された音と、放音装置３０−５によって放音された音の両方が伝搬されることになる。携帯電話機１０−２を所持するユーザＢが、例えばこの空間領域ＳＰ１３内の位置Ｐ１にいる場合、放音装置３０−４及び３０−５によって放音された音が位置Ｐ１に伝搬するから、携帯電話機１０−２は、マイクロホン１３１ａ及び１３１ｂによって放音装置３０−４，３０−５によって放音された音に含まれる領域ＩＤを抽出する。このとき、携帯電話機１０−２は、マイクロホン１３１ａ，１３１ｂによって収音された波形が異なる２つの音波から領域ＩＤを抽出することによって、両者の領域ＩＤを抽出すればよい。
そして、測位装置２０は、領域特定テーブルに基づいて、領域名称を特定することになるが、ここでは、２つの領域ＩＤを受信するから、○○デパート１階における東館と西館との境界付近であることを特定することができる。この構成によれば、複数の放音装置３０によって放音される音が伝搬する空間領域が重なり合っても、これを利用して、測位装置２０は、空間領域におけるさらに詳細な位置を特定することができる。
【００４９】
また、この態様において、携帯電話機１０は収音した音の音量（すなわち、音信号の振幅）と、特定した複数の領域ＩＤとに基づいて、測位装置２０は、さらに詳細な携帯電話機１０の位置を特定することもできる。
例えば、ユーザＢが位置Ｐ１から図中左側に放音装置３０−４側の位置Ｐ２に移動した場合、次第に携帯電話機１０と放音装置３０−４との距離が小さくなるからそこから到来する音の音量は大きくなるし、反対に、放音装置３０−５からはその距離が大きくなるので、そこから到来する音の音量は小さくなる。よって、測位装置２０は、放音装置３０−４，３０−５によって放音される音の音量を予め記憶しておき、マイクロホン１３１ａ，１３１ｂによって収音された音の音量と、領域ＩＤに基づいて特定した空間領域の位置とに基づいて、特定した空間領域の位置と、携帯電話機１０（マイクロホン１３１ａ，１３１ｂ）との位置関係を求めてもよい。これにより、測位装置２０は、携帯電話機１０が放音装置３０−４寄りにあるのか、又は放音装置３０−５寄りにあるのかを特定し、その位置を位置情報として出力することができる。この場合、測位装置２０は、「○○ビル１階中央から西館側におよそ○○メートル」のように、さらに詳細な空間領域内の位置を特定することもできる。
また、携帯電話機１０がさらに多数のマイクロホンを備えるようにしてもよく、前述した原理と同様にして、３以上の空間領域が重なり合っても、空間領域内における詳細な位置を特定することができる。
【００５０】
一方、放音装置３０−４及び３０−５が放音する音の周波数帯域を異ならせれば、携帯電話機１０は１つのマイクロホンでも複数の領域ＩＤを抽出することができる。この態様において、放音装置３０−４が放音する音の周波数帯域をｆ４とし、放音装置３０−５が放音する音の周波数帯域をｆ５とし、両者が一致しないようにしておく。そして、携帯電話機１０は音声処理部１３内に、周波数帯域ｆ４を通過帯域とし、周波数帯域ｆ５を遮断領域とするバンドパスフィルタＢ１と、周波数帯域ｆ５を通過帯域とし、周波数帯域ｆ４を遮断領域とするバンドパスフィルタＢ２とを並列に接続した回路を備えるようにする。このようにすれば、携帯電話機１０は、バンドパスフィルタＢ１を通過した音信号に基づいて、放音装置３０−４によって放音された音のみから領域ＩＤを抽出することができるし、バンドパスフィルタＢ２を通過した音信号に基づいて、放音装置３０−５によって放音された音のみから領域ＩＤを抽出することができる。また、携帯電話機１０が、予め放音装置３０−４及び３０−５のそれぞれが放音に用いる周波数帯域を記憶しておき、それぞれの当該周波数帯域のみから領域ＩＤを抽出するようにすれば、バンドパスフィルタＢ１、Ｂ２に相当する構成がなくても、両者の領域ＩＤを抽出することができる。
また、この場合において、３つ以上の空間領域が重なり合う場合においても、同様の原理に基づいて、携帯電話機１０は各々の空間領域に割り当てられた領域ＩＤを抽出することができる。
【００５１】
（３−７）変形例７
上述した実施形態においては、予め放音装置３０のそれぞれに領域ＩＤが設定され、測位装置２０がこれらの領域ＩＤに対応付けて、領域名称を領域特定テーブル２２２に記憶しているというものであったが、放音装置３０に対する領域ＩＤの設定を、測位装置２０側で行えるようにしてもよい。以下、この態様について具体的に説明する。なお、この態様においては、測位装置２０と建物内に設置された各放音装置３０とがインターネット等のネットワークを介して通信可能に接続されている。
例えば、放音装置３０が新たに設置された場合において、測位装置２０は、図示せぬ操作部を介してこの放音装置３０に対応する空間領域の領域名称を管理者に入力させ、これを位置情報として取得する。続いて、測位装置２０は、当該放音装置３０に対して領域ＩＤを割り当て、取得した位置情報と、この領域ＩＤとを対応付けて領域特定テーブルに書き込んで記憶させる。このとき、すでに領域テーブルに書き込まれている領域ＩＤと重複しないように、測位装置２０は領域ＩＤを生成する。続いて、測位装置２０はここで生成した領域ＩＤを、通信部２３及びネットワークを介して放音装置３０に通知する。放音装置３０は、この領域ＩＤが通知されたら、これを放音制御部３４のメモリに記憶し、放音の際には、音信号にこの領域ＩＤを重畳して放音する。
そして、位置が要求された際には、測位装置２０は、携帯電話機１０から領域ＩＤを受信すると、この領域ＩＤに対応付けて領域特定テーブルに記憶されている位置情報を、指定された宛先（すなわち、位置を要求した携帯電話機１０）に送信する。
この構成によれば、新たに放音装置３０が設置された場合であっても、領域ＩＤや領域名称の設定を容易に行うことができる。
【００５２】
（３−８）変形例８
上述した実施形態では、測位装置２０が領域特定テーブル２２２に基づいて領域名称を特定したが、携帯電話機１０−１が測位装置２０から領域特定テーブル２２２を取得し、自装置で特定してもよい。この場合、携帯電話機１０−１は測位装置２０を介することなく、携帯電話網３を介して携帯電話機１０−２から領域ＩＤを取得して、その位置を特定することになる。また、携帯電話機１０自体が領域特定テーブルを記憶しておいてもよい。この態様は、特に位置通知システムが位置を通知する空間領域の数（すなわち、放音装置３０の数）が少なく、扱う領域ＩＤも少ない場合に効果的である。
【００５３】
（３−９）変形例９
また、実施形態では、携帯電話機１０−１が携帯電話機１０−２の位置通知を要求する場合について説明したが、他の携帯電話機１０の位置通知を要求するだけでなく、自身の携帯電話機１０−１の位置を確認することにも本発明を利用することもできる。例えば携帯電話機１０−２が自身の位置を要求する場合には、携帯電話機１０−２は、図９のステップＳ１〜Ｓ３と同じ処理を行って位置を要求すると、測位装置２０からリクエスト信号が送信されてくるので、ステップＳ６〜Ｓ９を実行して領域ＩＤを抽出して送信する。次いで、測位装置２０の制御部２１は、ステップＳ１０，１１を実行して、所在地及び空間領域の位置とを示した地図情報を生成する。そして、ステップＳ１２において、測位装置２０の制御部２１は生成した地図情報を携帯電話機１０−２に送信する。携帯電話機１０−２の制御部１１は、測位装置２０から受信した地図情報が表す地図を、表示部１４に表示させることにより、位置情報を出力する。
【００５４】
（３−１０）変形例１０
また、携帯電話機１０は、放音装置３０によって放音された音を収音する収音手段と、収音した音から領域ＩＤを抽出する抽出手段と、抽出した領域ＩＤを測位装置に送信する送信手段とを有していればいかなる端末装置でもよく、例えば、専用の端末でもよいし、ＰＤＡ（Personal Digital Assistant）やモバイルコンピュータ等の種々の携帯型通信端末に本発明を適用してもよい。また、通信部３１、音声処理部３２、増幅器３３、スピーカ３５を外部構成とし、放音装置が、放音制御部３４に相当する構成のみを有するようにしてもよい。この場合、放音装置は、外部装置から取得した音信号に対し領域ＩＤを重畳して、これを外部装置であるスピーカに出力する装置として提供される。
【００５５】
また、デパート１内において、放音装置３０が放音に用いる音データはいかなるものでもよく、例えばＣＤ（Compact Disc）やＤＶＤ（Digital Versatile Disc）等の記録媒体から読み出して生成した音データであってもよいし、店内アナウンスの音声を用いてもよい。また、ＢＧＭ再生装置２がアナログ形式の音信号を提供する場合には、放音装置３０は、音声処理部３２に相当する構成は不要である。
また、携帯電話機１０が測位するためにＧＰＳ信号を用いる手法に限らず、例えば電話局等が、携帯電話機１０が利用した基地局に基づいて携帯電話機１０の所在地を特定して、測位装置２０に通知してもよい。
また、実施形態では、測位装置２０は、携帯電話機１０の所在地と空間領域の領域名称とを地図上に示した地図情報を送信し、携帯電話機１０がその画像を表示していたが、これに代えて、経度・緯度や住所、領域名称等を文字によって表示出力してもよく、その出力の態様は前掲したものに限らない。
【００５６】
上述した実施形態における制御部１１、制御部２１及び放音制御部３４によって実行される制御プログラムは、磁気記録媒体（磁気テープ、磁気ディスクなど）、光記録媒体（光ディスクなど）、光磁気記録媒体、半導体メモリなどのコンピュータが読取り可能な記録媒体に記録した状態で提供し得る。また、インターネットのようなネットワーク経由でダウンロードさせることも可能である。
【図面の簡単な説明】
【００５７】
【図１】位置通知システムの全体構成を示すブロック図である。
【図２】デパート内における放音装置の設置態様の一例を示す図である。
【図３】携帯電話機の構成を示すブロック図である。
【図４】測位装置の構成を示すブロック図である。
【図５】領域特定テーブルの一例を示した図である。
【図６】放音装置の構成を示すブロック図である。
【図７】放音制御部が行う音声信号処理を説明する図である。
【図８】放音制御部が行う音声信号処理を説明する図である。
【図９】位置通知システムが実行する処理の流れを示すシーケンス図である。
【図１０】表示部に表示される地図の一例を示す図である。
【図１１】変形例６におけるデパートの１階を上方から見た様子を模式的に表した図である。
【符号の説明】
【００５８】
１…デパート、１０，１０−１，１０−２，１０−３…携帯電話機、１００…位置通知システム、１１…制御部、１２…無線通信部、１２１…アンテナ、１３…音声処理部、１３１…マイクロホン、１３２…スピーカ、１４…表示部、１５…操作部、１６…記憶部、１７…測位部、２…ＢＧＭ再生装置、２０…測位装置、２１…制御部、２２…記憶部、２２１…地図情報記憶領域，２２２…領域特定テーブル、２３…通信部、３…携帯電話網、３０，３０−１，３０−２，３０−３，３０−４，３０−５…放音装置、３１…通信部、３２…音声処理部、３３…増幅器、３４…放音制御部、３５…スピーカ、４０…ＧＰＳ衛星。
【図１】
0005661987.tif 000002
【図２】
0005661987.tif 000003
【図３】
0005661987.tif 000004
【図４】
0005661987.tif 000005
【図５】
0005661987.tif 000006
【図６】
0005661987.tif 000007
【図７】
0005661987.tif 000008
【図８】
0005661987.tif 000009
【図９】
0005661987.tif 000010
【図１０】
0005661987.tif 000011
【図１１】
0005661987.tif 000012